(57)【要約】【課題】扉開閉が容易であるとともに、不快音を発生せず、雨水の内部侵入も防止できる、墓石用の収納庫を提供する。【解決手段】剛性を有する任意素材にてその前面に開閉扉を有する箱体を形成するとともに、開閉扉の開閉をスライドレールを用いた開閉としたことを特徴とする。【選択図】図３
2007126951.tif 000002
【特許請求の範囲】
【請求項１】
剛性を有する任意素材にてその前面に開閉扉を有する箱体を形成するとともに、開閉扉の開閉をスライドレールを用いた開閉としたことを特徴とする墓石用収納庫。
【発明の詳細な説明】
【技術分野】
【０００１】  この発明は、墓石上に載置して墓参時に用いる用具等を収納保管するための収納庫に関する。
【背景技術】
【０００２】  従来より、墓参時にはローソク、線香、掃除具など種々の物品を携帯するが、この持参の手間を省くために墓石用の収納庫が利用されている。この収納庫は石材にて製作された箱状物に開閉扉を設けたもので、この扉開閉時の安定のために上下の石材に溝を設けてちょうど襖のように開閉するものであり、本発明にて示すように、スライドレールを用いて扉を開閉する方式の墓石用収納庫は見当たらない。
【発明の開示】
【発明が解決しようとする課題】
【０００３】  従来からの墓石用収納庫は既述のように石材にて箱形物品を製作したもので、下台上に側板を設け、この側板上に天板を位置させ、前面には開閉可能な２枚の扉を設けたものである。すなわち、下台上面と天板下面に溝を形成し、この溝内に扉を位置させて、この溝に沿って扉を開閉する構成であった。しかし、扉下面と溝内面とは石材がその重量にて押圧接触しつつ移動する方式のため、摩擦による不快音を発し、ときにはその摩擦にて扉の引っかかりが生じて円滑な開閉が妨げられ、無理をすると石材損傷の恐れを有するものであった。
この扉の引っかかりを防ぐには余裕を持った溝巾が必要となるがそうすると扉面と溝内面との距離が大きくなり、風の強いときには扉が溝面に間欠的にあたってバタバタと発音することとなりがちであった。また、下台上面に溝を有するため、溝内に雨水やゴミが堆積して汚れ、扉を閉めても下台の溝が露見して視覚上好ましいとはいえない。
さらに、扉は石材のみで製作されるため、扉の強度を考えるとそれなりの厚さを必要とし、厚くなると扉重量が増加して開閉に力を要することとなる。
本発明は、以上のような従来からの墓石用収納庫に関わる課題を解決するために発明されたもので、スライドレールを用いることにより、溝部分を不要としてスムースな開閉を可能とする新規かつ有用なる墓石用の収納庫を提供することを目的として開発されたものである。
【課題を解決するための手段】
【０００４】  課題を解決する手段として本発明は、扉開閉をスライドレールを用いた開閉方式としてその主要部を構成した。
すなわち、剛性を有する任意素材にてその前面に開閉扉を有する箱体を形成するとともに、開閉扉の開閉をスライドレールを用いた開閉とする。
本発明は、以上の構成よりなる墓石用収納庫である。
【発明の効果】
【０００５】  本発明は下記の効果を有する。
１．スライドレールを用いた扉開閉としたので、従来方式のように扉開閉のための溝が不要となり、開閉がスムースであるとともに不快音発生がない。
２．溝が露見することが無く視覚的なスマートさがあり、溝への雨水やゴミの堆積がない。
３．扉裏面に金属板を設けたので、薄く軽量化した扉石板を用いることが可能となり、より少ない力での開閉を可能とした。
４．扉はガイド板に金属部分が軽く接触した状態での開閉であり、また扉はこのガイド板前面と前板との間隙内に位置するので、風によるバタツキ音の発生がない。
５．収納庫内はガイド板にて一段高くなっており、雨水等の庫内への侵入を防止することができる。
【発明を実施するための最良の形態】
【０００６】  以下、本発明の実施形態について説明する。
図において、１は下台で、適宜厚の長方形石板で、その中央上面には下台よりやや小形の長方形石板によるガイド板２が固着される。３は長方形石板による後板で、ガイド板に近接して下台上面後方に固着立設される。４は側板で、組み立て時の平面視Ｌ形の石板であり、後板およびガイド板に近接して下台両側上面に各々固着される。
５は前板で、側板と近似形状の石板であり、図６のように側板に近接して下台上面前方両側に各々固着される。６はスライドレール固定板で、側面視Ｌ形のステンレス板でその長さは前板の外側間距離と同一であり、その一部を側板と前板の間隙に位置させて前板上面に固着される。７は天板で、下台と近似サイズ・形状の石板であり、スライドレール固定板上面に固着される。
８はスライドレールで市販品であり、固定側と可動側が係合している。
このスライドレールは、外側に位置するアウターレール内に鋼球をリテーナーを介して保持し、鋼球にインナーレールが接触保持されており、アウターレールとインナーレールが互いにスライド可能に構成されたものであり、これを２個組み合わせて互いのインナーレールを固定した構造である。従って、一方のアウターレールを固定側とし、他方のアウターレールを可動側として、この可動側のアウターレールに他物品を取り付けることでその物品が固定側に対してスライド可能となるものである。【０００７】  本例では固定側スライドレール９をスライドレール固定板の折曲部にビス止めし、可動側スライドレール１０は２本を固定側スライドレールに係合させた構成とし、固定側スライドレールの長さを前板の内面間距離よりやや短くし、可動側スライドレールはその長さは後述の扉巾よりやや短くしている。１１は扉保持板で、その下部をわずかに直角に折曲してなるステンレス製長方形板体であり、その幅は可動側スライドレールと同じである。
この扉保持板上部は可動側スライドレールにビス止めされる。
１２は扉板で長方形石板であり、その幅は可動側スライドレールよりやや長く、またその上下長は下台上面と天板下面間距離よりやや短く形成され、その厚さはガイド板前面と前板内面間距離よりわずかに小さい。この扉は図４にて示すように、扉保持板の折曲部に下面を当接させて扉保持板に固着される。１３は扉開閉のために扉前面適所に設けられる円弧状彫り込みによるスリットである。【０００８】  本発明を使用するには、図３のごとく組み上げられた本品を墓石の芝台や中台などの適所に載置しておき、スリットに指をかけて左右に開き、必要物品を収容した後に扉板を閉めておく。墓参時はこの扉を開けて収容物品を取り出して使用し、終了後は収納庫内に再び物品を入れて収納保管する。この扉板の開閉時は扉板は扉保持板を介して可動側スライドレールに取り付けられており、この可動側スライドレールは鋼球やリテーナーを介して固定側スライドレールに係合している。従って、開閉時は扉板は他の石材に接することなく移動可能であり、不快音を発することなく軽やかに開閉させることができる。
また、天板および下台に溝を設けていないので、溝内への雨水やゴミの堆積が無く、視覚的にもスマートでスッキリとしたものとなる。また、下台上にはガイド板が位置し、このガイド板前面は均一平面であり、前板裏面とガイド板前面間距離よりわずかに小さい距離にて扉板前面と扉保持板後面が位置するため、図４にて示すように扉の断面方向の移動距離範囲が規制され、風による扉のバタツキ音の発生を抑えることができる。
さらに、本例では扉板をステンレス製の扉保持板に固着する構成としたので、全体として高強度になって従来より薄い扉板での使用が可能となり、扉開閉に要する力をより少ないものとすることができる。また、下台上面にはガイド板が位置して一段高くなっているため、万一雨水が庫内に侵入しても貯留することなく外部に流れ出すこととなり、収納物の水濡れを防止することができる。本例では金属部品にステンレスを用いており、長期使用による錆びを防止できる。なお、可動側スライドレールは扉板巾より短く、扉最大開時にても石材に当接することなくその損傷の恐れはない。【０００９】  図８〜図９は本発明の応用を示したもので、墓石内に本品を組み込んで使用する場合の例である。本例は前例と基本構造は同じであるが、墓石に組み込むように各部のサイズを選択し、また面取りも適宜に加減しており、天板前部をやや短くしてここに飾り板を取り付ける構成としたもので、図９にように固定して使用するがその機能は前例と同様である。
以上、本発明について記したが、本発明は従来のように扉移動のための溝を設けずにスライドレールを用いた移動としたところに最大の特徴を有し、使用者の労力軽減と外観的スマートさを有する墓石用の収納庫を提供するものである。なお、既述の例は実施の一例であり、近似の他の形状・構造としてもよい。
以上のごとく、本発明にて使用に便利な墓石用の収納庫を得ることができる。
【図面の簡単な説明】
【００１０】
【図１】  本発明の平面図
【図２】  本発明の正面図
【図３】  本発明の斜視図
【図４】  Ａ−Ａ拡大断面図
【図５】  本発明の各部形状説明図（組立前・スライドレール等の金属部品略）
【図６】  本発明の各部配置説明図（天板除去時・扉板閉状態・一部略示）
【図７】  本発明の各部配置説明図（天板除去時・扉板開状態・一部略）
【図８】  本発明の応用例説明図（取付前）
【図９】  本発明の応用例説明図（取付後）
【符号の説明】
【００１１】  １    下台
２    ガイド板
３    後板
４    側板
５    前板
６    スライドレール固定板
７    天板
８    スライドレール
９    固定側スライドレール
１０  可動側スライドレール
１１  扉保持板
１２  扉板
２０  収納庫
【図１】
2007126951.tif 000003
【図２】
2007126951.tif 000004
【図３】
2007126951.tif 000005
【図４】
2007126951.tif 000006
【図５】
2007126951.tif 000007
【図６】
2007126951.tif 000008
【図７】
2007126951.tif 000009
【図８】
2007126951.tif 000010
【図９】
2007126951.tif 000011